(57)【特許請求の範囲】
【請求項１】
製造工程の上流に向かって製造履歴を追跡する上流追跡手段と、製造工程の下流に向かって製造履歴を追跡する下流追跡手段とから構成され、前記上流追跡手段は、加工済ウェブ単位データと、部位指定データと、工程指定データと、から、特定の加工済ウェブを特定し、上流特定データを得るデータ処理を行い、 前記下流追跡手段は、加工済ウェブ単位データと、前記上流特定データと、から、前記上流特定データによって特定される加工済ウェブを原材料ウェブとする加工済ウェブを特定し、下流特定データを得るデータ処理を行い、 前記加工済ウェブ単位データは、加工済ウェブの部位と、それを構成する原材料ウェブの部位と、を対応付けるデータが記録されたデータである、 ことを特徴とする製造履歴追跡装置。
【請求項２】
製造工程の上流に向かって製造履歴を追跡する上流追跡手段と、製造工程の下流に向かって製造履歴を追跡する下流追跡手段とから構成され、前記上流追跡手段は、原材料ウェブ単位データと、部位指定データと、工程指定データと、から、特定の加工済ウェブを特定し、上流特定データを得るデータ処理を行い、 前記下流追跡手段は、原材料ウェブ単位データと、前記上流特定データと、から、前記上流特定データによって特定される加工済ウェブを原材料ウェブとする加工済ウェブを特定し、下流特定データを得るデータ処理を行い、 前記原材料ウェブ単位データは、原材料ウェブの部位と、それを使用した加工済ウェブの部位と、を対応付けるデータが記録されたデータである、 ことを特徴とする製造履歴追跡装置。
【請求項３】
製造工程の上流に向かって製造履歴を追跡する上流追跡手段と、製造工程の下流に向かって製造履歴を追跡する下流追跡手段とから構成され、前記上流追跡手段は、加工済ウェブ単位データと、部位指定データと、工程指定データと、から、特定の加工済ウェブを特定し、上流特定データを得るデータ処理を行い、 前記下流追跡手段は、原材料ウェブ単位データと、前記上流特定データと、から、前記上流特定データによって特定される加工済ウェブを原材料ウェブとする加工済ウェブを特定し、下流特定データを得るデータ処理を行い、 前記加工済ウェブ単位データは、加工済ウェブの部位と、それを構成する原材料ウェブの部位と、を対応付けるデータが記録されたデータであり、 前記原材料ウェブ単位データは、原材料ウェブの部位と、それを使用した加工済ウェブの部位と、を対応付けるデータが記録されたデータである、 ことを特徴とする製造履歴追跡装置。
【発明の詳細な説明】
【０００１】
【産業上の利用分野】
本発明は、紙、プラスチックフィルム、金属箔等の原材料ウェブに印刷、貼り合わせ、塗工、スリット、その他の加工を施す製造工程において得られた加工済ウェブの製造履歴を追跡する装置に関する。特に、ある加工済ウェブに不良等の特異部分が発見された場合に、同様の特異部分が存在し得る他の加工済ウェブを特定する装置に関する。
【０００２】
【従来の技術】
各製造工程の作業者が加工前の原材料ウェブと加工後の加工済ウェブの位置的な対応を記入したウェブ加工票を１単位（ウェブの巻取１つ）の加工済ウェブごとに作成しておき、製造履歴を追跡する必要が生じた場合には関連するウェブ加工票を調査して、１工程ずつ遡って製造履歴の追跡を行っていた。
あるいは、加工前の原材料ウェブを特定する番号記号を、加工後の加工済ウェブを特定する番号記号に含ませておき、その番号記号から追跡を行っていた。
【０００３】
【発明が解決しようとする課題】
この従来の技術によると、不良発生工程から不良発見工程まで多数の工程を経た場合や各工程でウェブの分割・接続・貼り合わせが行われた場合には、ウェブ加工票への記録情報が複雑になる。したがってウェブ加工票を人手によって１工程ずつ逐次比較を行いながら発生工程を追跡し、不良発生のウェブやそのウェブを原材料とするウェブを特定するのに非常に多くの時間を必要とする。
このように特定に非常に多くの時間を必要とする場合や特定できない場合は不良の有無に関係なく、不良の疑われるウェブを全て回収しなければならない場合もある。またウェブ加工票の量も膨大となり保存管理の負荷が大きい。
また、番号記号として記録を残す方法は、単純な加工を行う一部の工程でだけ行い得る方法であって、多数ある複雑な工程を通じてのウェブの履歴情報は膨大な量となるため一般的には行えない方法である。
【０００４】
そこで本発明の目的は、短時間にかつ正確に製造履歴を追跡することのできる製造履歴追跡装置を提供することにある。
【０００５】
【課題を解決するための手段】
上記の目的は下記の本発明によって達成される。即ち、本発明は、製造工程の上流に向かって製造履歴を追跡する上流追跡手段と、製造工程の下流に向かって製造履歴を追跡する下流追跡手段とから構成され、前記上流追跡手段は、加工済ウェブ単位データと、部位指定データと、工程指定データと、から、特定の加工済ウェブを特定し、上流特定データを得るデータ処理を行い、前記下流追跡手段は、加工済ウェブ単位データと、前記上流特定データと、から、前記上流特定データによって特定される加工済ウェブを原材料ウェブとする加工済ウェブを特定し、下流特定データを得るデータ処理を行い、前記加工済ウェブ単位データは、加工済ウェブの部位と、それを構成する原材料ウェブの部位と、を対応付けるデータが記録されたデータである、ことを特徴とする製造履歴追跡装置、である。
【０００６】
また本発明は、製造工程の上流に向かって製造履歴を追跡する上流追跡手段と、製造工程の下流に向かって製造履歴を追跡する下流追跡手段とから構成され、前記上流追跡手段は、原材料ウェブ単位データと、部位指定データと、工程指定データと、から、特定の加工済ウェブを特定し、上流特定データを得るデータ処理を行い、前記下流追跡手段は、原材料ウェブ単位データと、前記上流特定データと、から、前記上流特定データによって特定される加工済ウェブを原材料ウェブとする加工済ウェブを特定し、下流特定データを得るデータ処理を行い、前記原材料ウェブ単位データは、原材料ウェブの部位と、それを使用した加工済ウェブの部位と、を対応付けるデータが記録されたデータである、ことを特徴とする製造履歴追跡装置、である。
【０００７】
また本発明は、製造工程の上流に向かって製造履歴を追跡する上流追跡手段と、製造工程の下流に向かって製造履歴を追跡する下流追跡手段とから構成され、前記上流追跡手段は、加工済ウェブ単位データと、部位指定データと、工程指定データと、から、特定の加工済ウェブを特定し、上流特定データを得るデータ処理を行い、前記下流追跡手段は、原材料ウェブ単位データと、前記上流特定データと、から、前記上流特定データによって特定される加工済ウェブを原材料ウェブとする加工済ウェブを特定し、下流特定データを得るデータ処理を行い、前記加工済ウェブ単位データは、加工済ウェブの部位と、それを構成する原材料ウェブの部位と、を対応付けるデータが記録されたデータであり、前記原材料ウェブ単位データは、原材料ウェブの部位と、それを使用した加工済ウェブの部位と、を対応付けるデータが記録されたデータである、ことを特徴とする製造履歴追跡装置、である。
【０００８】
【作用】
本発明の製造履歴追跡装置によれば、上流追跡手段により製造工程の上流に向かって製造履歴の追跡が行われ、下流追跡手段により製造工程の下流に向かって製造履歴の追跡が行われる。
さらに詳しくは、前記の上流追跡手段により、加工済ウェブ単位データまたは原材料ウェブ単位データと、部位指定データと、工程指定データと、から、特定の加工済ウェブが特定され、上流特定データが得られ、
前記の下流追跡手段により、加工済ウェブ単位データまたは原材料ウェブ単位データと、前記上流特定データと、から、前記上流特定データによって特定される加工済ウェブを原材料ウェブとする加工済ウェブが特定され、下流特定データが得られる。
ここに、前記の加工済ウェブ単位データは、加工済ウェブの部位と、それを構成する原材料ウェブの部位と、を対応付けるデータが記録されたデータであり、また前記の原材料ウェブ単位データは、原材料ウェブの部位と、それを使用した加工済ウェブの部位と、を対応付けるデータが記録されたデータである。
【０００９】
【実施例】
以下本発明の製造履歴追跡装置について好適な実施例に基づいて説明する。
図１は本発明の製造履歴追跡装置の構成を説明する図である。図１において、１の実線の枠で囲まれた部分は本発明の製造履歴追跡装置、２はイーサーネット等のＬＡＮ（Local Area Network）、３は原材料ウェブおよび加工済ウェブの情報が巻取単位で格納されたデータベース、４はデータベース３を有するシステムの一例であって生産機械の稼働状況や生産品に関する情報の収集分配管理を行う生産管理システムである。
また、７はキーボード、マウス等の入力装置、８はディスプレイ、プリンタ等の出力手段である。
【００１０】
図１において、製造履歴追跡装置１は更に細部から構成されており、５は記憶手段、６は演算手段であり、パーソナルコンピュータ、エンジニアリングワークステーション等のコンピュータの本体部分である。
そして記憶手段５において、９，１０はデータベース３に基づき生産管理システムによって生成された加工済ウェブ単位テーブル，原材料ウェブ単位テーブル、１１は演算手段６による製造工程の上流追跡によって特定されたウェブに関する上流特定データ、１２は演算手段６による製造工程の下流追跡によって特定されたウェブに関する下流特定データである。
さらに演算手段６において、１３は製造工程の上流に向かって製造履歴を追跡する上流追跡処理ルーチン、１４は製造工程の下流に向かって製造履歴を追跡する下流追跡処理ルーチンである。
【００１１】
図１の構成における、加工済ウェブ単位テーブル９と原材料ウェブ単位テーブル１０について、図２〜４により一例を示しさらに詳細を説明する。
図２は製造工程（貼り合わせ工程）の前後における原材料ウェブと加工済ウェブの構成を模式的に示す図である。図２において、１５は第１層の原材料ウェブ、１６はウェブの除去部分、１７は第２層の原材料ウェブ、１８は第３層の原材料ウェブであり、１９はそれらが貼り合わされてできた加工済ウェブである。
図２に示すように、第１層の原材料ウェブは、それを特定するＩＤ番号がＮｏ．１−１であり、もともとは５５００ｍ（メーター）あったものが不良部分除去等の理由によりこの工程において１７５０ｍ〜２２５０ｍの間の５００ｍが抜き取られ、０〜１７５０ｍと２２５０〜５５００ｍが接続されて５０００ｍの１つのウェブとなっている。また第２層の原材料ウェブは、それを特定するＩＤ番号がＮｏ．２−１とＮｏ．２−２の２つであり、Ｎｏ．２−１のウェブの終端（３０００ｍの処）とＮｏ．２−２始端（０ｍの処）が接続され合計５０００ｍの１つのウェブとなっている。
【００１２】
また第３層の原材料ウェブは、それを特定するＩＤ番号がＮｏ．３−１であり、もともとは７０００ｍ（メーター）あったものが０〜２０００ｍは他の用途に使用され、この貼り合わせ工程では２０００〜７０００ｍの５０００ｍが使用される。
また加工済ウェブ１９は、それを特定するＩＤ番号がＮｏ．ＰＲＤ−１であり、上記の第１層〜第３層の原材料ウェブが貼り合わされて製造された５０００ｍのウェブである。
【００１３】
図３は加工済ウェブ１９の加工済ウェブ単位テーブルのデータを表として示した図である。図３に示すように、加工済ウェブ単位テーブルのデータは、加工済ウェブデータと原材料ウェブデータから構成される。
加工済ウェブデータはＩＤ、位置ｘ、位置ｙの属性名を有する。位置ｘはウェブの一辺と平行方向の位置データ、位置ｙはそれと直交する方向の位置データを示す。加工済ウェブ１９の場合は、それぞれＮｏ．ＰＲＤ−１、０−５０００、０−１の要素データによって特徴づけられる。
原材料ウェブデータは、さらに複数の層構成データから構成されている。層構成データは、第１層、第２層、第３層、・・・・・・、の層構成名を有し、使用順、ＩＤ、位置ｘ、位置ｙの属性名を有する。
第１層の要素データは、ベクトル；（使用順，ＩＤ，位置ｘ，位置ｙ）として示すと、（１，Ｎｏ．１−１，０−１７５０，０−１）および（２，Ｎｏ．１−１，２２５０−５５００，０−１）である。
また第２層の要素データは同様に、（１，Ｎｏ．２−１，０−３０００，０−１）および（２，Ｎｏ．２−２，０−２０００，０−１）である。
また第３層の要素データは同様に、（１，Ｎｏ．３−１，２０００−７０００，０−１）である。
【００１４】
この図３に例示する加工済ウェブ単位テーブル９（図１参照）を使用すると容易に製造履歴を遡ることができる。例えばＮｏ．ＰＲＤ−１の２０００ｍ地点に不良が見つかった場合、加工済ウェブ単位テーブル９によって、それが原材料ウェブ上でＮｏ．１−１の２５００ｍ、Ｎｏ．２−１の２０００ｍ、Ｎｏ．３−１の４０００ｍ地点に当たることが判る。各原材料ウェブに前工程がある場合にも、同様の方法で遡ることができる。上流追跡処理ルーチン１３（図１参照）はこの方法を実行するものである。
【００１５】
図４は第２層の原材料ウェブ１７の原材料ウェブ単位テーブルのデータを表として示した図である。図４に示すように、原材料ウェブ単位テーブルのデータは、原材料ウェブデータと加工済ウェブデータから構成される。
原材料ウェブデータはＩＤ、位置ｘ、位置ｙの属性名を有し、原材料ウェブ１７の場合は、それぞれＮｏ．２−２、０−２０００、０−１の要素データによって特徴つけられる。
加工済ウェブデータは、その原材料ウェブが使用された加工済ウェブに関するデータであって、使用順、ＩＤ、層、位置ｘ、位置ｙの属性名を有し、加工済ウェブ１９の場合は、それぞれ１、Ｎｏ．ＰＲＤ−１、２、３０００−５０００、０−１である。
なお第３層の原材料ウェブのように複数の加工済ウェブに使用された場合には、加工済ウェブデータは複数の加工済ウェブのデータによって構成される。
【００１６】
この図４に例示する原材料ウェブ単位テーブル１０（図１参照）を使用すると容易に製造履歴を下ることができる。例えばＮｏ．２−２の５００ｍ地点がどの加工済ウェブに使用されたかを追跡したい場合、原材料ウェブ単位テーブル１０によって、それがＮｏ．ＰＲＤ−１の第２層の３５００ｍの地点に当たることが判る。各加工済ウェブに後工程がある場合にも、同様の方法で下ることができる。下流追跡処理ルーチン１４（図１参照）はこの方法を実行するものである。
【００１７】
次に、ウェブの製造工程について説明を行う。図５はウェブの製造工程における加工の種類の説明図である。図５において、１）は通常、２）は接続、３）は分割、４）は貼り合わせ、５）は反転、６）は列分割を示す。
まず図５“１）通常”は、０〜５００ｍの原材料ウェブａ（０−５００）から０〜５００ｍの加工済ウェブＡ（０−５００）が得られる場合を表している。例えば、原材料ウェブａ（０−５００）の巻取について、高温室においてエージングを行って、エージング後の加工済ウェブＡ（０−５００）の巻取が得られるような場合を示している。ここに括弧内はメーター数の範囲を示す。
また図５“２）接続”は、原材料ウェブａ（０−２５０）と原材料ウェブｂ（０−２５０）から、加工済ウェブＡ（０−５００）が得られる場合を表している。
また図５“３）分割”は、原材料ウェブａ（０−５００）から、加工済ウェブＡ（０−２５０）と加工済ウェブＡ（２５０−５００）が得られる場合を表している。
【００１８】
また図５“４）貼合わせ”は、原材料ウェブａ（０−５００）と原材料ウェブｂ（０−５００）から、加工済ウェブＡ（０−５００）が得られる場合を表している。
また図５“５）反転”は、原材料ウェブａ（０−５００）から、加工済ウェブＡ（５００−０）が得られる場合を表している。例えば、原材料ウェブａ（０−５００）の巻取について、コーティング、印刷等の加工を行って、同じ長さのウェブを巻取として、加工済ウェブＡ（５００─０）の巻取が得られるような場合を示している。この“反転”は、製造機械が普通はウェブの巻取りに対して加工を行ってウェブの巻取りを得る方式であるため、他の種類の加工とも併用される場合が多い。
また図５“６）列分割”は、原材料ウェブａ（０−５００）から、加工済ウェブＡ（０−５００，０−１）とＡ（０−５００，１−２）が得られる場合を表している。
実作業では図２に示したように複数種類の加工を一工程で行うことも多い。
【００１９】
次に図５に示したような種類の加工を組み合わせた場合にウェブがどのような形態および構成になるか、例を挙げて説明する。
図６は複数の加工工程を経た場合のウェブの形態と構成の一例を示す図である。図６の工程▲１▼において得られた加工済ウェブＮｏ．▲１▼＿１の５００〜９５０ｍの部分と加工済ウェブＮｏ．▲１▼＿２の０〜４００ｍの部分を原材料ウェブとして、図６の工程▲２▼では加工済ウェブＮｏ．▲２▼＿１（０−８５０）＝▲１▼＿１（５００−９５０）＋▲１▼＿２（０−４００）が得られる。
【００２０】
また、図６の工程▲２▼において得られた加工済ウェブＮｏ．▲２▼＿１（０〜８５０）を原材料ウェブとし、さらに図６の工程▲３▼は貼合わせ工程であり、原材料ウェブにはＮｏ．▲３▼＿Ａ（０〜８５０）も使用され、図６の工程▲３▼では加工済ウェブＮｏ．▲３▼＿１（０〜８５０）＝▲２▼＿１（０〜８５０）＋▲３▼＿Ａ（０〜８５０）が得られる。
また、図６の工程▲３▼において得られた加工済ウェブＮｏ．▲３▼＿１（０〜８５０）を原材料ウェブとして、図６の工程▲４▼ではスリットが行われ、加工済ウェブＮｏ．▲４▼＿１（０〜３００）＝▲３▼＿１（０〜３００，０−１）、Ｎｏ．▲４▼＿２（０〜３００）＝▲３▼＿１（３００〜６００，０−１）等が得られる。
【００２１】
次に、図１における上流追跡処理ルーチン１３および下流追跡処理ルーチン１４について説明する。
図７は上流追跡処理ルーチン１３および下流追跡処理ルーチン１４の処理内容を模式的に示す図である。図７において、工程１は印刷工程、工程２は貼合わせ工程、工程３はコーティング工程、工程４はスリット工程である。またウェブは矩形図形で示されており、破線、１点鎖線等で示される線は原材料ウェブと加工済ウェブの位置的な対応関係を表している。また矢印は製造履歴の追跡方向を表している。
【００２２】
図７において、工程４のスリッター工程の最後においてウェブＷ１に不良が発見され、同時に製造された隣接するウェブＷ２も不良であったとする。ウェブＷ１とウェブＷ２の不良内容を調査した結果、印刷工程において発生した不良であることが判ったとする。
図７に示すように、上流追跡処理ルーチン１３によって加工済ウェブ単位テーブル（図３参照）が参照され、工程１の印刷工程の加工済ウェブまでウェブＷ１・ウェブＷ２→ウェブＷ３→ウェブＷ４→ウェブＷ５と追跡が行われる。このウェブＷ５が上流特定データ１１（図１参照）である。
工程１の印刷工程の加工済ウェブはウェブＷ５、ウェブＷ６、ウェブＷ１３、ウェブＷ１４、ウェブＷ１５があるが、最も同様の不良の含まれている可能性の大きい、加工順の隣接するウェブＷ６が着目される。ウェブＷ５は工程１の印刷工程の最終の加工済ウェブであるため、隣接するウェブはウェブＷ６のみである。
なお図７の例ではウェブＷ５の全てがウェブＷ１とウェブＷ２に含まれているが、ウェブＷ５の一部分がウェブＷ１とウェブＷ２に含まれている場合には、ウェブＷ５自身も隣接するウェブに含める。
【００２３】
次に図７に示すように、下流追跡処理ルーチン１４によって原材料ウェブ単位テーブル（図４参照）が参照され、隣接するウェブＷ６から順番に工程４のスリット工程の加工済ウェブまでウェブＷ６→ウェブＷ７→ウェブＷ８→ウェブＷ９・ウェブＷ１０・ウェブＷ１１・ウェブＷ１２と追跡が行われる。このウェブＷ９・ウェブＷ１０・ウェブＷ１１・ウェブＷ１２が下流特定データ１２（図１参照）である。
このようにして、追跡され特定されたウェブＷ９、ウェブＷ１０、ウェブＷ１１、ウェブＷ１２が、ウェブＷ１、ウェブＷ２と同様の不良が含まれているか否かの検査対象とされる。
ウェブＷ９、ウェブＷ１０、ウェブＷ１１、ウェブＷ１２について検査が行われた結果、不良が含まれている場合等において、検査対象を広げたい場合には、下流追跡処理ルーチン１４を、この例ではウェブＷ６に隣接するウェブＷ１３にも適用する。さらに検査対象を広げたい場合には同様に適用するウェブを広げて行えばよい。
【００２４】
以上本発明について実施例により説明を行ったが本発明はこの実施例にのみ限定されるものではなく、本発明の技術思想において様々な態様で実施することができ、それらも本発明に含まれることはいうまでもないことである。
例えば、図１に示した生産管理システム４において各ウェブに関する製造状況を工程ごとに記録しておき、不良が発生したウェブを特定するとともに、その際の製造状況を調査して工程の改善を行い、同じ不良の再発を防ぐ等に利用することができる。
また、実施例においては加工済ウェブ単位テーブルと原材料ウェブ単位テーブルの両テーブルを使用する例を説明したが、本発明はいずれか一方のテーブルがあれば上流追跡処理も下流追跡処理も行うことができる。
すなわち、加工済ウェブ単位テーブルだけで製造履歴を下る場合には、不良等の調査をしたい原材料ウェブを構成に含む加工済ウェブを特定する為には、加工済ウェブ単位テーブルの全範囲を探索して原材料ウェブＩＤおよび要調査位置を含む加工済ウェブを特定するか、加工済ウェブ単位テーブルから原材料ウェブ単位テーブルを導出する処理を行えばよい。
【００２５】
また、原材料ウェブ単位テーブルだけで製造履歴を遡る場合には、不良等の調査をしたい加工済ウェブを構成している原材料ウェブを特定する為には、原材料ウェブ単位テーブルの全範囲を探索して加工済ウェブＩＤおよび要調査位置を含む原材料ウェブを特定するか、原材料ウェブ単位テーブルから加工済ウェブ単位テーブルを導出する処理を行えばよい。
製造履歴追跡処理の高速化が必要ならば加工済ウェブ単位テーブルと原材料ウェブ単位テーブルの両テーブルを使用することが良く、通信／記憶データ量の小規模化が必要ならば加工済ウェブ単位テーブルと原材料ウェブ単位テーブルのいずれか一方のテーブルだけを使用することが良い。
【００２６】
【発明の効果】
以上のように本発明によれば、短時間にかつ正確に製造履歴を追跡することのできる製造履歴追跡装置が提供される。
また加工済ウェブ単位テーブルと原材料ウェブ単位テーブルのいずれか一方のテーブルだけを使用する製造履歴追跡装置によれば通信／記憶データ量を小規模とすることができる。
また加工済ウェブ単位テーブルと原材料ウェブ単位テーブルの両テーブルを使用する製造履歴追跡装置によれば高速に処理を行うことができる。
【図面の簡単な説明】
【図１】本発明の製造履歴追跡装置の構成を説明する図である。
【図２】製造工程（貼り合わせ工程）の前後における原材料ウェブと加工済ウェブの構成を模式的に示す図である。
【図３】加工済ウェブ単位テーブルのデータを表として示した図である。
【図４】原材料ウェブ単位テーブルのデータを表として示した図である。
【図５】ウェブの製造工程における加工の種類の説明図である。
【図６】複数の加工工程を経た場合のウェブの形態と構成の一例を示す図である。
【図７】上流追跡処理ルーチンおよび下流追跡処理ルーチンの処理内容を模式的に示す図である。
【符号の説明】
１  製造履歴追跡装置
２  ＬＡＮ
３  データベース
４  生産管理システム
５  記憶手段
６  演算手段
７  入力装置
８  出力装置
９  加工済ウェブ単位テーブル
１０  原材料ウェブ単位テーブル
１１  上流特定データ
１２  下流特定データ
１３  上流追跡処理
１４  下流追跡処理
１５  第１層の原材料ウェブ
１６  ウェブの除去部分
１７  第２層の原材料ウェブ
１８  第３層の原材料ウェブ
１９  加工済ウェブ
【図１】
0003654942.tif 000002
【図２】
0003654942.tif 000003
【図３】
0003654942.tif 000004
【図４】
0003654942.tif 000005
【図５】
0003654942.tif 000006
【図６】
0003654942.tif 000007
【図７】
0003654942.tif 000008